(57)【要約】【課題】  照明装置単体で完結し、昼夜を問わず不審者に対して心理的圧力を効果的に与え続けることで高い威嚇効果が得られる防犯機能付照明装置の提供。【解決手段】  光を出力する照明負荷部６と、照明負荷部６を制御する点灯制御手段と、人を検知して前記点灯制御手段に信号を出力する人センサ部２と、照度検出する明るさセンサ部３と、時間を計時するタイマ部４と、人センサ部２の出力に応じて警報出力を発報する警報出力手段と、を備えた照明装置１において、前記警報出力手段は発報した履歴を保存できると共に、前記発報履歴及び照明装置１の周囲環境の組合せにより前記警報出力を変化させるものである。【選択図】図１
2005275861.tif 000002
【特許請求の範囲】
【請求項１】
光を出力する照明負荷部と、該照明負荷部を制御する点灯制御手段と、人を検知して前記点灯制御手段に信号を出力する人センサ部と、照度検出する明るさセンサ部と、時間を計時するタイマ部と、前記人センサ部の出力に応じて警報出力を発報する警報出力手段と、を備えた照明装置において、
前記警報出力手段は発報した履歴を保存できると共に、前記発報履歴及び照明装置の周囲環境の組合せにより前記発報出力を変化させるものであることを特徴とする照明装置。
【請求項２】
前記警報出力手段は、前記明るさセンサ部の出力に応じて前記発報出力を可変にできるものであることを特徴とする請求項１記載の照明装置。
【請求項３】
前記警報出力手段は、前記人センサ部が人体を検知した時間帯に応じて前記発報出力を可変にできるものであることを特徴とする請求項１記載の照明装置。
【請求項４】
前記警報出力手段は、前記警報出力の発報回数を数えることができるものであり、該発報回数に応じて前記発報出力を可変にできるものであることを特徴とする請求項１記載の照明装置。
【請求項５】
前記警報出力手段は、前記明るさセンサ部の出力に応じて前記発報回数を可変にできるものであることを特徴とする請求項１記載の照明装置。
【請求項６】
前記警報出力手段は、前記人センサ部が人体を検知した時間帯に応じて前記発報回数を可変にできるものであることを特徴とする請求項１記載の照明装置。
【請求項７】
前記警報出力手段は、発報回数に応じて、前記発報出力を可変にできるものであることを特徴とする請求項１記載の照明装置。
【請求項８】
前記警報出力手段は、発報回数に応じて、前記発報出力の出力間隔を可変にできるものであることを特徴とする請求項１記載の照明装置。
【請求項９】
前記警報出力手段は、前記発報出力の１回当たりの出力量を可変にできと共に、発報回数に応じて該発報出力量も可変にできるものであることを特徴とする請求項７記載の照明装置。
【請求項１０】
前記警報出力手段は、前記発報出力の１回あたりの発報間隔可変にできと共に発報回数に応じて該発報出力の大きさも可変にできるものであることを特徴とする請求項８記載の照明装置。
【請求項１１】
前記警報出力手段は、前記発報出力から発報が光又は音の組合せであるものでことを特徴とする請求項１乃至請求項１０いずれかに記載の照明装置。
【発明の詳細な説明】
【技術分野】
【０００１】
本発明は、人センサとタイマの応用により、通常の照明器具と防犯威嚇用照明器具の両方の特徴を兼ね備えた照明装置に関するものである。
【背景技術】
【０００２】
従来から、通常の照明装置と防犯威嚇用照明装置の両方の特徴を兼ね備えた照明装置として、例えば、特開２００３−２０８９９０号公報に示すようなものがある。この照明装置１０１は、図６（ａ）に示すように、人を検知する人センサ部１０２と、周囲の照度を検出する明るさセンサ部１０３と、さまざまな時間の計時を行なう予熱タイマＴｙとインターバルタイマＴｉとを有するタイマ部１０４と、器具全体の制御を行なう点灯制御手段１０５と、光を出力する照明負荷部１０６と、を備えている。この場合の点灯制御手段５は、人センサ部２と、明るさセンサ部３と、タイマ部４と、であり、また、警報出力手段は、照明負荷部６である。
【０００３】
次に、この照明装置１０１の動作を、図６（ｂ）に基づいて説明する。この図は、横軸に時間、縦軸に人センサ部２の検知出力としてセンサ検知パルスＰ、予熱タイマＴｙの出力、インターバルタイマＴｉの出力、照明負荷部６の出力として光出力と、を表している。人が照明装置１０１に近づいてきて人センサ部２が人を検知すると人センサ検知信号を発生する。点灯制御手段１０５は、人センサ部１０２が人を検知してから、所定の時間だけ計時動作させるタイマ部１０４を有し、タイマ部１０４の計時動作中に連続的または断続的に人センサ部１０２の検知信号が入力される時、タイマ部１０４の計時動作が終了した時点から、照明負荷部１０６からの光出力の光の質を変化させるものである。例えば、照明負荷部１０６にフラッシュ機能を設けて、点滅動作をさせている。
【０００４】
ところで、最近は日本でも治安が悪化の一途をたどっており、特にピッキングと呼ばれる特殊な工具を使って住宅玄関のドアの鍵を解錠して宅内に不法侵入する空き巣被害が激増している。このような状況のもと、住宅用照明装置分野でも防犯効果を持つ照明装置が多く考案されている。すなわち、住宅分野では照明装置単体で完結し、不審者に対して心理的圧力を効果的に与え続けることで高い威嚇効果が得られる防犯機能付照明装置の開発が望まれている。
【０００５】
しかしながら、この照明装置１は、フラッシュ機能として常時同様の点滅動作を繰り返すだけなので、検知範囲内に滞在し続けている不審者に対し、心理的圧力を効果的に与え続けるという面ではもの足りない感がある。また明るさセンサのはたらきにより、明るい昼間は人を検知しても照明負荷は点滅しないというものである。
【特許文献１】特開２００３−２０８９９０号公報
【発明の開示】
【発明が解決しようとする課題】
【０００６】
本願発明は、上記背景技術に鑑みて発明されたものであり、その課題は、照明装置単体で完結し、昼夜を問わず不審者に対して心理的圧力を効果的に与え続けることで高い威嚇効果が得られる防犯機能付照明装置を提供することである。
【課題を解決するための手段】
【０００７】
上記課題を解決するために、本願発明は、光を出力する照明負荷部と、該照明負荷部を制御する点灯制御手段と、人を検知して前記点灯制御手段に信号を出力する人センサ部と、照度検出する明るさセンサ部と、時間を計時するタイマ部と、前記人センサ部の出力に応じて警報出力を発報する警報出力手段と、を備えた照明装置において、前記警報出力手段は発報した履歴を保存できると共に、前記発報履歴及び照明装置の周囲環境の組合せにより前記発報出力を変化させるものである。
【０００８】
また、前記警報出力手段は、前記明るさセンサ部の出力に応じて前記発報出力を可変にすることが好ましい。
【０００９】
また、前記警報出力手段は、前記人センサ部が人体を検知した時間帯に応じて前記発報出力を可変にすることが好ましい。
【００１０】
また、前記警報出力手段は、前記警報出力の発報回数を数えることができるものであり、該発報回数に応じて前記発報出力を可変にすることが好ましい。
【００１１】
また、前記警報出力手段は、前記明るさセンサ部の出力に応じて前記発報回数を可変にすることが好ましい。
【００１２】
また、前記警報出力手段は、前記人センサ部が人体を検知した時間帯に応じて前記発報回数を可変にすることが好ましい。
【００１３】
また、前記警報出力手段は、発報回数に応じて、前記発報出力を可変にすることが好ましい。
【００１４】
また、前記警報出力手段は、発報回数に応じて、前記発報出力の出力間隔を可変にすることが好ましい。
【００１５】
また、前記警報出力手段は、前記発報出力の１回当たりの出力量を可変にできと共に、発報回数に応じて該発報出力量も可変にすることが好ましい。
【００１６】
また、前記警報出力手段は、前記発報出力の１回あたりの発報間隔可変にできと共に発報回数に応じて該発報出力の大きさも可変にできるもことが好ましい。
【００１７】
前記警報出力手段は、前記発報出力から発報が光、又は、音の組合せであるものが好ましい。
【発明の効果】
【００１８】
本願発明の照明装置においては、警報出力手段の発報手段、発報回数、発報出力量、発報間隔などを照明装置の周囲環境及び過去の発報出力履歴により変化させることにより、照明装置単体の構成にも関らず、不審者に対して心理的圧力を効果的に与え続けることで高い威嚇効果が得られる。
【発明を実施するための最良の形態】
【００１９】
図１は、第１の実施形態である照明装置１を示している。この実施形態の照明装置１は、図１（ａ）に示すように、人を検知する人センサ部２と、周囲の照度を検出する明るさセンサ部３と、さまざまな時間の計時を行なうタイマ部４と、器具全体の制御を行なう点灯制御手段５と、光を出力する照明負荷部６と、音を出力する発報ブザー部７と、を備えている。この場合の点灯制御手段５は、人センサ部２と、明るさセンサ部３と、タイマ部４と、であり、また、警報出力手段は、照明負荷部６と、発報ブザー部７と、である。
【００２０】
次に、照明装置１が発報動作する場合の動作説明を図１（ｂ）に基づいて説明する。この図は、横軸に時間、縦軸に人センサ部２の出力である人センサ検知信号、明るさセンサ部３の出力である明るさセンサ信号、照明負荷部６の出力である照明負荷出力、発報ブザー部７の出力である警報ブザー出力、を表している。
【００２１】
人が照明装置１に近づいてきて人センサ部２が人を検知すると人センサ検知信号を発生する。最初に、明るさセンサ部３により検知された周囲照度が予め設定した照度以上の場合、発報ブザー部７は、人センサ部２からの検知信号が入力されると発報ブザー部７から威嚇のためのブザーを発報する。発報ブザー部７は、人体検知終了後も所定の時間、例えば、１０秒から３０秒の間、発報状態を保持する。
【００２２】
次に、明るさセンサ部３により検知された周囲照度が予め設定した照度以下の場合、人センサ部２からの検知信号が照明負荷部６に入力されると照明負荷部６から威嚇のための点滅（フラッシング）動作を行なう。人体検知終了後も所定の時間、照明負荷部６は、点滅状態を保持（保持時間）する。
【００２３】
従って、このように構成された照明装置１は、周囲照度が高い場合は照明負荷部６からの光による視覚効果が薄れるために発報ブザー部７からの音を採用し、周囲照度が低い場合、視覚効果が高まるため照明負荷部６からの光を採用することで、不審者に対して昼夜を問わず大きな威嚇効果が得られる。
【００２４】
なお、照明負荷部６の出力及び発報ブザー部７の出力のデューティ比は、特に規定はなく、適宜決めればよい。
【００２５】
なお、明るさセンサ部３は、予め設定した所定照度と比較することで、発報ブザー部７からブザーを発報、又は、照明負荷部６から発光するものであるが、タイマ部４の計時時間により、警報出力を発報ブザー部７からブザーを発報、又は、照明負荷部６から点滅にしてもよい。
【００２６】
例えば、６時から１８時までの間は、人センサ部２より検知信号が発報ブザー部７に入力されると発報ブザー部７からブザーを発報し、１８時から翌日の６時までは、人センサ部２より検知信号が照明負荷部６に入力されると照明負荷部６が点滅するようにしても良い。
【００２７】
図２は、第２の実施形態である照明装置１を示している。この実施形態の照明装置１は、図２（ａ）に示すように、人を検知する人センサ部２と、さまざまな時間の計時を行なうインターバルタイマＴｉを有するタイマ部４と、器具全体の制御を行なう点灯制御手段５と、光を出力する照明負荷部６と、音を出力する発報ブザー部７と、を備えている。この場合の点灯制御手段５は、人センサ部２と、タイマ部４と、であり、また、警報出力手段は、照明負荷部６と、発報ブザー部７と、である。
【００２８】
次に、照明装置１が発報動作する場合の動作説明を図２（ｂ）に基づいて説明する。この図は、横軸に時間、この図は、横軸に時間、縦軸に人センサ部２の出力である人センサ検知信号、インターバルタイマＴｉの出力、照明負荷部６の出力である照明負荷出力、発報ブザー部７の出力である警報ブザー出力、を表している。
【００２９】
人が照明装置１に近づいてきて人センサ部２が人を検知すると人センサ検知信号を発生する。そして、照明負荷部６は、人センサ部２からの検知信号が入力されると威嚇のための点滅動作を行なう。人体検知終了後も所定の時間、照明負荷部６は、点滅状態を保持（保持時間）する。
【００３０】
次に、保持時間終了後、タイマ部４のインターバルタイマＴｉが動作を開始する（例えば、３０秒の間動作する）。インターバルタイマＴｉが計時動作完了するまでの間に再度、人センサ部２が人体を検知すると、発報ブザー部７から威嚇のための警報ブザーを発報する。人体検知終了後も所定の時間、発報ブザー部７は、警報ブザーの発報を保持する。
【００３１】
従って、このように構成された照明装置１は、インターバルタイマＴｉが動作を開始し、そして、動作を完了するまでの間に人センサ部２により人センサ検知信号が入力された場合にのみ、常に一つ前の発報手段とは別の発報手段で発報を行なうことにより、不審者に対する威嚇効果を高めることができる。
【００３２】
なお、インターバルタイマＴｉが計時動作完了後、人センサ部２からの人センサ検知信号が入力されても警報出力手段は切り替わらない。
【００３３】
なお、照明負荷部６の出力及び発報ブザー部７の出力のデューティ比は、特に規定はなく、適宜決めればよい。
【００３４】
図３は、第３の実施形態である照明装置１を示している。この実施形態の照明装置１は、図３（ａ）に示すように、人を検知する人センサ部２と、周囲の照度を検出する明るさセンサ部３と、さまざまな時間の計時を行なうインターバルタイマＴｉを有するタイマ部４と、器具全体の制御を行なう点灯制御手段５と、光を出力する照明負荷部６と、を備えている。この場合の点灯制御手段５は、人センサ部２と、明るさセンサ部３と、タイマ部４と、であり、また、警報出力手段は、照明負荷部６である。
【００３５】
次に、照明装置１が発報動作する場合の動作説明を図３（ｂ）に基づいて説明する。この図は、横軸に時間、縦軸に人センサ部２の出力である人センサ検知信号、明るさセンサ部３の出力である明るさセンサ信号、インターバルタイマＴｉの出力、照明負荷部６の出力である照明負荷出力、を表している。
【００３６】
人が照明装置１に近づいてきて人センサ部２が人を検知すると人センサ検知信号を発生する。最初に、明るさセンサ部３により検知された周囲照度が予め設定した照度以上の場合、照明負荷部６は、人センサ部２からの検知信号が入力されると威嚇のための点滅動作を行なう。人体検知終了後も所定の時間、照明負荷部６は、点滅状態を保持（保持時間）する。そして、人センサ部２が再度人体を検知しても、照明負荷部６は威嚇のための点滅動作を行なう。
【００３７】
次に、明るさセンサ部３により検知された周囲照度が予め設定した照度以下の場合、人センサ部２からの検知信号が照明負荷部６に入力されると照明負荷部６から威嚇のための点滅（フラッシング）動作を行なう。人体検知終了後も所定の時間、照明負荷部６は、点滅状態を保持する。所定の時間終了後、インターバルタイマＴｉが計時動作（例えば、３０秒）を開始する。このインターバルタイマＴｉが計時動作を終了するまでの間に再度、人センサ部２が人を検知して人センサ検知信号が照明負荷部６に入力されても照明負荷部６は点滅動作を行なわないものである。
【００３８】
従って、このようにこうせいされた照明装置１は、周囲照度が高い場合、すなわち、周囲照度が予め設定した照度より高い場合は、照明負荷部６からの光による視覚効果が薄れるために照明負荷部６からの点滅動作を多くし、周囲照度が低い場合、すなわち、周囲照度が予め設定した照度より低い場合は、照明負荷部６からの光による視覚効果が高まるために照明負荷部６からの点滅動作を少なくすることで、不審者に対する威嚇効果を高めることができると共に、省エネルギーにもなる。
【００３９】
なお、照明負荷部６の出力のデューティ比は、特に規定はなく、適宜決めればよい。
【００４０】
なお、明るさセンサ部３は、予め設定した所定照度と比較することで照明負荷部６から発光するものであるが、タイマ部４により、時間により、照明負荷部６から点滅にしてもよい。
【００４１】
例えば、６時から１８時までの間は、人センサ部２より人センサ検知信号が入力されるたびに警報出力手段は警報を発報し、１８時から翌朝の６時までは、人センサ部２より人センサ検知信号が何度入力されてもインターバルタイマＴｉが計時動作を完了するまでは、警報の発報は最初の一回にみとする。
【００４２】
図４は、第４の実施形態である照明装置１を示している。この実施形態の照明装置１は、図４（ａ）に示すように、人を検知する人センサ部２と、さまざまな時間の計時を行なうインターバルタイマＴｉを有するタイマ部４と、器具全体の制御を行なう点灯制御手段５と、光を出力する照明負荷部６と、を備えている。この場合の点灯制御手段５は、人センサ部２と、タイマ部４と、であり、また、警報出力手段は、照明負荷部６である。
【００４３】
次に、照明装置１が発報動作する場合の動作説明を図４（ｂ）に基づいて説明する。この図は、横軸に時間、縦軸に人センサ部２の出力である人センサ検知信号、インターバルタイマＴｉの出力、照明負荷部６の出力である照明負荷出力、を表している。
【００４４】
人が照明装置１に近づいてきて人センサ部２が人を検知すると人センサ検知信号を発生する。そして、照明負荷部６は、人センサ部２からの人センサ検知信号が入力されると照明負荷部６が威嚇のための点滅動作を行なう。この場合の照明負荷部６の点滅する出力をＰ１とする。人体検知終了後も所定の時間、照明負荷部６は、点滅状態を保持（保持時間）する。
【００４５】
次に、保持時間終了後、インターバルタイマＴｉが動作を開始する（例えば、３０秒の間動作する）。インターバルタイマＴｉが計時動作完了するまでの間に再度、人センサ部２が人体を検知すると、照明負荷部６から威嚇のための点滅を行なう。この場合の照明負荷部６の点滅する出力をＰ２とする。ここで、点滅出力の大きさをＰ１<Ｐ２とする。
【００４６】
以下、同様にしてインターバルタイマＴｉが計時動作中に人センサ部２が人体を検知される毎に、照明負荷部６の大きさをＰ３、Ｐ４、Ｐ５とする。この場合、例えば、Ｐ１の出力の大きさを１として、Ｐ２の出力の大きさをＰ１の２倍、Ｐ３の出力の大きさをＰ１の３倍、Ｐ４の出力の大きさをＰ１の４倍、Ｐ５の出力の大きさをＰ１の５倍、とするように照明負荷部６の点滅出力の大きさを徐々に大きくすることにより、不審者に対する威嚇効果を高めるものである。
【００４７】
そして、インターバルタイマＴｉが計時動作の完了後、人センサ部２が人体を検出した場合の照明負荷部６の点滅出力は、最初の点滅出力のＰ１に戻る。
【００４８】
なお、図４（ｃ）に示すように、インターバルタイマＴｉが計時動作中に人センサ部２が人体を検出した場合、照明負荷部６の点滅出力を徐々に大きくしているが、一回当りの点滅出力を徐々に大きくしても良い
図５は、第５の実施形態である照明装置１を示している。この実施形態の照明装置１は、図５（ａ）に示すように、人を検知する人センサ部２と、さまざまな時間の計時を行なうインターバルタイマＴｉを有するタイマ部４と、器具全体の制御を行なう点灯制御手段５と、光を出力する照明負荷部６と、を備えている。この場合の点灯制御手段５は、人センサ部２と、タイマ部４と、であり、また、警報出力手段は、照明負荷部６である。
【００４９】
次に、照明装置１が発報動作する場合の動作説明を図５（ｂ）に基づいて説明する。この図は、横軸に時間、縦軸に人センサ部２の出力である人センサ検知信号、インターバルタイマＴｉの出力、照明負荷部６の出力である照明負荷出力、を表している。なお、本実施形態では、インターバルタイマＴｉは、Ｔｉ１からＴｉｎのｎ種類の時間が計時できるようになっている。
【００５０】
人が照明装置１に近づいてきて人センサ部２が人を検知すると人センサ検知信号を発生する。そして、タイマ部４は、人センサ部２からの検知信号が入力されるとインターバルタイマＴｉ１が計時動作を開始する。インターバルタイマＴｉが計時動作を完了するまでに人センサ部２により検知信号が予め設定した回数、例えば、３回以上入力された場合に、インターバルタイマＴｉが計時動作完了後に照明負荷部６が威嚇のための点滅動作を行なう。人体検知終了後も所定の時間、照明負荷部６は、点滅状態を保持（保持時間）する。
【００５１】
保持時間終了後、次はインターバルタイマＴｉ２が計時動作を開始する。インターバルタイマＴｉ１が計時動作を完了するまでに人センサ部２により検知信号が予め設定した回数、例えば、３回以上入力された場合に、インターバルタイマＴｉが計時動作完了後に照明負荷部６が威嚇のための点滅動作を行なう。
【００５２】
ここで、ここで、インターバルタイマＴｉの時間の長さをＴｉ>Ｔｉ２とする。
【００５３】
以下、同様にしてインターバルタイマＴｉが計時動作中に人センサ部２が人体を検知される毎に、インターバルタイマＴｉの時間の長さをＴｉ３、Ｔｉ４とする。この場合、Ｔｉ１の時間の長さを３０秒、Ｔｉ２の時間の長さを２０秒、Ｔｉ３の時間の長さを１０秒、Ｔｉ４の時間の長さを５秒、とするように照明負荷部６の発報間隔を徐々に大きくすることにより、不審者に対する威嚇効果を高めるものである。
【００５４】
そして、インターバルタイマＴｉが計時動作中に、人センサ部２が既定回数以上の検知信号が入力されなかった場合、最初の状態Ｔｉ１にもどるものである。
【００５５】
なお、図５（ｃ）に示すように、発報回数を重ねるごとに発報間隔を徐々に短くしているが、同時に一回当りの発報の中でも発報間隔が徐々に短くなるように変化させても良い。
【００５６】
なお、照明負荷部６の出力の比は、特に規定はなく、適宜決めればよい。また、人センサの検知回数により検知範囲内人が継続して滞在していることを検出しているが。この場合のひとの滞在の検出手段及び検出シ−ケンスは、特に規定はなく、適宜決めればよい。
【図面の簡単な説明】
【００５７】
【図１】（ａ）本願発明の第１の実施形態である照明装置を示すブロック図、（ｂ）は同上の動作説明図である。
【図２】（ａ）本願発明の第２の実施形態である照明装置を示すブロック図、（ｂ）は同上の動作説明図である。
【図３】（ａ）本願発明の第３の実施形態である照明装置を示すブロック図、（ｂ）は同上の動作説明図である。
【図４】（ａ）本願発明の第４の実施形態である照明装置を示すブロック図、（ｂ）は同上の第１の動作説明図、第２の動作説明図である。
【図５】（ａ）本願発明の第５の実施形態である照明装置を示すブロック図、（ｂ）は同上の動作説明図である。
【図６】特開２００３−２０８９９０号公報に記載された従来例を示すブロック図である。
【符号の説明】
【００５８】
１    照明装置
２    人センサ部
３    明るさセンサ部
４    タイマ部
５    点灯制御手段
６    照明負荷部
７    発報ブザー部
【図１】
2005275861.tif 000003
【図２】
2005275861.tif 000004
【図３】
2005275861.tif 000005
【図４】
2005275861.tif 000006
【図５】
2005275861.tif 000007
【図６】
2005275861.tif 000008